(57)【要約】【課題】  レンズ装置を簡単な構成としつつ、バリア部材を駆動するためのバネ部材の腕部が光軸方向で大きく変位するのを防止する。【解決手段】  撮影光学系の前面を開閉するバリア部材（４、５）と、固定部材（１）と、固定部材に対して光軸回りで回転可能な回転部材（２）と、腕部（６ａ、６ｂ、７ａ、７ｂ）を有し、バリア部材に取り付けられたバネ部材（６、７）とを備えている。回転部材は、回転動作によって腕部を押すことでバリア部材を駆動し、固定部材は、回転部材によって押された腕部の光軸方向における変位を制限する制限部（１ｂ、１ｃ）を有する。【選択図】  図１
2005309030.tif 000002
【特許請求の範囲】
【請求項１】
撮影光学系の前面を開閉するバリア部材と、
固定部材と、
該固定部材に対して光軸回りで回転可能な回転部材と、
腕部を有し、前記バリア部材に取り付けられたバネ部材とを備え、
前記回転部材は、回転動作によって前記腕部を押すことで前記バリア部材を駆動し、
前記固定部材は、前記回転部材によって押された前記腕部の光軸方向における変位を制限する制限部を有することを特徴とするレンズ装置。
【請求項２】
前記制限部は、互いに向かい合う２つの光軸直交面を有しており、
前記回転部材によって押される前記腕部が、前記２つの光軸直交面の間に進入することを特徴とする請求項１に記載のレンズ装置。
【請求項３】
前記腕部は、曲率を有する形状に形成されていることを特徴とする請求項１又は２に記載のレンズ装置。
【請求項４】
前記バリア部材が閉じ状態又は開き状態にあるとき、前記回転部材は前記腕部を押した状態に保持することを特徴とする請求項１から３のいずれか１つに記載のレンズ装置。
【請求項５】
前記バネ部材は、弾性変形によって前記回転部材および前記バリア部材のうち一方のみの動作を許容することを特徴とする請求項１から４のいずれか１つに記載のレンズ装置。
【請求項６】
請求項１から５のいずれか１つに記載のレンズ装置と、
該レンズ装置内の撮影光学系によって形成された物体像を銀塩フィルムに露光する露光装置とを有することを特徴とするカメラ。
【請求項７】
請求項１から５のいずれか１つに記載のレンズ装置と、
該レンズ装置内の撮影光学系によって形成された物体像を光電変換する撮像素子とを有することを特徴とするカメラ。
【発明の詳細な説明】
【技術分野】
【０００１】
本発明は、撮影光学系の前面を開閉可能なバリア部材を備えたレンズ装置と、該レンズ装置を有するカメラに関するものである。
【背景技術】
【０００２】
従来のバリア装置は、撮影光学系の前面を覆う２枚のバリア羽根と、光軸回りに回転してバリア羽根を開閉駆動するバリア駆動リングとを有している（例えば、特許文献１参照）。ここで、バリア羽根とバリア駆動リングとの間にはバリアスプリングが配置され、該バリアスプリングはバリア羽根を閉じ方向に付勢するとともに、バリア羽根に対するバリア駆動リングの逃げ移動を許容する。
【０００３】
また、バリア駆動リングと鏡筒カバーとの間にはバリア駆動スプリングが配置され、該バリア駆動スプリングは、バリア駆動リングを光軸回り一方向に付勢してバリア羽根を開き方向に駆動する。さらに、従来のバリア装置は、レンズ鏡筒に設けられた回転筒の回転力をバリア駆動リングに伝達する連結機構を有している。
【０００４】
このように構成されたバリア装置の動作を説明する。回転筒が時計方向（光軸回り他方向）に回転すると、回転筒の回転力が連結機構を介してバリア駆動リングに伝達され、バリア駆動リングはバリア駆動スプリングをチャージしながら時計方向に回転する。そして、バリア駆動リングの回転に応じてバリア羽根が基端側を軸に回転して撮影光学系の前面を覆う（閉じ動作）。
【０００５】
また、回転筒が反時計方向（光軸回り一方向）に回転すると、バリア駆動リングはチャージされていたバリア駆動スプリングのスプリング力により反時計方向に回転する。そして、バリア羽根はバリア駆動リングの回転に応じて基端側を軸に回転して撮影光学系の前面から退避する（開き動作）。
【０００６】
ここで、バリア羽根が閉じ動作途中に何らかの障害物（例えば砂等の異物）によって閉じ方向に回転できない場合には、バリアスプリングがチャージされることによってバリア駆動リングの時計方向への回転を許容する。すなわち、バリアスプリングはバリア羽根に対するバリア駆動リングの逃げ移動を許容している。
【特許文献１】特開平７―１５９８５６号公報（段落番号００１０、００１４〜００１６、図１）
【発明の開示】
【発明が解決しようとする課題】
【０００７】
しかしながら、上述した特許文献１で提案されているバリア装置では、バリア羽根を開閉駆動させるための専用の部品、すなわち上述した連結機構が必要となる。しかも、バリア羽根の閉じ動作途中に何らかの障害物（例えば砂等の異物）によって閉じ方向に回転できなかった場合に、バリア羽根に対するバリア駆動リングの逃げ移動を許容する専用の部品、すなわち上述したバリアスプリングが必要となる。
【０００８】
このように上述した専用の部品が必要となることで、部品点数の増加によってバリア装置のコストアップを招いてしまう。しかも、専用の部品を配置するためのスペースを確保しなければならないため、バリア装置およびバリア装置を搭載したレンズ鏡筒が大型化してしまう。
【０００９】
一方、バリア羽根の動作が障害物によって妨げられるのを抑制する対策を行いつつ、例えば、バリア駆動スプリングのスプリング力を高めつつ、バリア駆動スプリングおよびバリアスプリングのスプリングバランスを考慮すると、バリア羽根を閉じ動作させる際のバリア駆動リングの駆動負荷が増加してしまう。すなわち、バリア駆動リングを回転させるための回転筒の駆動力を大きくしなければならず、レンズ鏡筒（カメラ）の消費電力が大きくなってしまう。
【００１０】
そこで、本発明の目的は、上述した問題を解決するために、バリア羽根の駆動機構を簡単な構成としたレンズ装置を提供することにある。
【課題を解決するための手段】
【００１１】
本発明のレンズ装置は、撮影光学系の前面を開閉するバリア部材と、固定部材と、固定部材に対して光軸回りで回転可能な回転部材と、腕部を有し、バリア部材に取り付けられたバネ部材とを備えている。ここで、回転部材は、回転動作によって腕部を押すことでバリア部材を駆動し、固定部材は、回転部材によって押された腕部の光軸方向における変位を制限する制限部を有することを特徴とする。
【発明の効果】
【００１２】
本発明によれば、回転部材がバネ部材の腕部を押してバリア部材を駆動するため、バリア部材の駆動を簡単な構成で行わせることができる。また、回転部材によって押された腕部の光軸方向における変位を制限することで、バリア部材の駆動をスムーズに行わせることができる。
【発明を実施するための最良の形態】
【００１３】
以下、本発明の実施例について説明する。
【実施例１】
【００１４】
図１から図１５を用いて本発明の実施例１であるカメラについて説明する。
【００１５】
まず、図１５を用いて本実施例のカメラの構成について説明する。図１５は、本実施例のカメラの外観斜視図である。
【００１６】
図１５において、１００はカメラ本体であり、この内部には撮影を可能とするための部材１００ａが配置されている。例えば、銀塩カメラの場合は撮影開口（アパーチャ）及びフィルム、デジタルカメラの場合、撮影光学系によって形成された光学像を電気信号に光電変換する撮像素子が配置されている。１０１はカメラ本体１００の前面に設けられたレンズ鏡筒であり、後述するようにレンズや光量調節部材（シャッタや絞り）等を有している。また、レンズ鏡筒１０１の先端には、後述するバリアユニット２０が配置されている。
【００１７】
レンズ鏡筒１０１は、非撮影時においてはカメラ本体１００内に収納されて沈胴状態となる。一方、撮影時においては、レンズ鏡筒１０１は沈胴状態から光軸方向に繰り出すようになっている（図１５）。
【００１８】
１０２は撮影準備動作（測光動作および焦点調節動作等）および撮影動作を開始させるために操作されるレリーズボタン、１０３は被写体を観察するための光学ファインダである。１０４は被写体の輝度を測定するための測光ユニット、１０５は被写体に向けて照明光を照射する照明ユニットである。
【００１９】
次に、図１４を用いてレンズ鏡筒１０１の構成について説明する。図１４は、本実施例のレンズ鏡筒の断面図である。
【００２０】
固定筒２５はカメラ本体１００に固定されている。第３回転筒２３の外周面にはヘリコイド部が形成されており、該ヘリコイド部は固定筒２５の内周面に形成されたヘリコイド部と係合している。ここで、カメラ本体１００内に配置された駆動源（不図示）の駆動力が動力伝達機構（不図示）を介して第３回転筒２３に伝達されると、第３回転筒２３は光軸回りに回転しながら光軸方向に移動する。第３回転筒２３の内側には、光軸回りには回転せずに第３回転筒２３とともに光軸方向にのみ移動する第３直進筒２４が配置されている。
【００２１】
第２回転筒２１は、第３回転筒２３の回転に応じて光軸回りに回転する。第２回転筒２１の外周面にはヘリコイド部が形成されており、該ヘリコイド部は、第３直進筒２４の内周面に形成されたヘリコイド部と係合している。このため、第２回転筒２１は、第３回転筒２３からの回転力を受けることで、第３直進筒２４に対して光軸回りで回転しながら光軸方向に移動する。
【００２２】
第２回転筒２１の内側には第２直進筒２２が配置されており、第２回転筒２１は第２直進筒２２に対して光軸回りで摺動可能な状態で係合している。第２直進筒２２は、第３直進筒２４に形成された光軸方向に延びる溝部と係合しているため、光軸回りには回転せずに第２回転筒２１とともに光軸方向にのみ移動する。
【００２３】
第１直進筒（固定部材）１は、第２直進筒２２との係合によって光軸方向にのみ移動可能となっている。また、第１直進筒１の外周にはヘリコイド部１ｄが形成されており、ヘリコイド部１ｄは第２回転筒２１の内周に形成されたヘリコイド部２１ａと係合している。このため、第２回転筒２１が光軸回りに回転すると、第１直進筒１は第２回転筒２１（第２直進筒２２）に対して光軸方向に移動することになる。
【００２４】
第１回転筒（回転部材）２の外周面には凸部２ａが形成されており、凸部２ａは、第２回転筒２１に形成されたガイドキー（光軸方向に延びる溝部）と係合している。このため、第１回転筒２は、第２回転筒２１の回転力を受けて光軸回りに回転する。
【００２５】
また、第１回転筒２は、第１直進筒１に対して光軸回りで摺動可能な状態で係合しているとともに、第１直進筒１とともに光軸方向に移動可能となっている。
【００２６】
一方、レンズ鏡筒１０１内には、物体側（図１４の左側）から順に、第１レンズ群３、第２レンズ群３１、シャッタユニット３２、第３レンズ群３３、第４レンズ群３４が配置されている。
【００２７】
次に、図１から図１３を用いてレンズ鏡筒１０１の先端側（物体側）の構成及び動作、特にバリアユニットの構成及び動作について説明する。
【００２８】
図１はバリアユニットの構成を示す分解斜視図、図２はバリアスプリングが組み込まれたバリア羽根の外観斜視図、図３は回転筒とバリアスプリングとの関係を示す斜視図、図４は全閉状態にあるバリアユニットの正面図である。
【００２９】
図５は半開状態にあるバリアユニットの正面図、図６は全開直前の状態にあるバリアユニットの正面図、図７は図６に示すバリアユニットの部分拡大図、図８は全開状態にあるバリアユニットの正面図、図９は図８に示すバリアユニットの部分拡大図である。
【００３０】
図１０はバリア羽根が閉じ始めた状態におけるバリアユニットの正面図、図１１はバリア羽根が強制的に開かれた状態におけるバリアユニットの正面図、図１２はバリア羽根の閉じ動作が阻止された状態におけるバリアユニットの正面図、図１３はバリア羽根の開き動作が阻止された状態におけるバリアユニット正面図である。
【００３１】
第１直進筒１には、撮影光学系の一部である第１レンズ群３を支持する開口部１ａと、後述するようにバリアスプリング（バネ部材）６、７の弾性伝達腕部６ａ、６ｂ、７ａ、７ｂが退避するスペース（凹部１ｂ１、１ｃ１）を有する凸部１ｂ、１ｃとが形成されている。ここで、凸部１ｂ、１ｃは、第１直進筒１の先端側（被写体側）の端面に形成されている。また、第１レンズ群３は、撮影光学系のうち最も物体側に位置している。
【００３２】
第１回転筒２の内周面には、後述するバリアスプリング６の弾性伝達腕部６ａ、６ｂと当接してバリア羽根４を駆動するための突部２ｇが形成されている。第１回転筒２の周方向における突部２ｇの両側には、バリアスプリング６（弾性伝達腕部６ａ、６ｂ）の移動スペースを確保するための第１の溝部２ｂおよび第２の溝部２ｄが設けられている。これらの溝部２ｂ、２ｄは第１回転筒２の周方向に延びている。
【００３３】
また、図１〜３では不図示であるが、第１回転筒２の内周面のうち突部２ｇに対して光軸を挟んで対向する位置には、後述するバリアスプリング７の弾性伝達腕部７ａ、７ｂと当接してバリア羽根５を駆動するための突部２ｈが形成されている（図４等参照）。そして、第１回転筒２の周方向における突部２ｈの両側には、バリアスプリング７（弾性伝達腕部７ａ、７ｂ）の移動スペースを確保するための第３の溝部２ｃ（第１の溝部２ｂに相当する）および第４の溝部２ｅ（第２の溝部２ｄに相当する）が形成されている。
【００３４】
４、５、９、１０は、第１レンズ群３の前面を覆う全閉位置と、第１レンズ群３の前面から退避した全開位置との間で動作可能なバリア羽根（バリア部材）である。各バリア羽根は、この基端部において、バリアカバー８の裏面に設けられた光軸方向に延びる支持軸（不図示）に係合し、支持軸を中心に回転する。すなわち、バリア羽根４、５、９、１０（以下、バリア羽根４〜１０とする）は、撮影光軸と直交する面内で回転することになる。
【００３５】
ここで、バリア羽根５、１０に形成された穴部５ｄ、１０ａは同一の支持軸８ｂに係合し、バリア羽根４、９に形成された穴部４ｄ、９ａは同一の支持軸（不図示）に係合している。また、バリア羽根４、５は同一形状に形成され、バリア羽根９、１０は同一形状に形成されている。
【００３６】
６、７はバリアスプリングであり、後述するように第１回転筒２の回転に応じてバリア羽根４、５を開閉動作させる。また、バリアスプリング６、７は、後述するように第１回転筒２およびバリア羽根４、５のうち一方だけが動作するときに、大きく弾性変形して該一方の動作を許容するようになっている。
【００３７】
バリアスプリング６は図２に示すように、線材を巻回させて形成されたコイル部６ｃと、この両端に略Ｕ字状に形成された２本の弾性伝達腕部６ａ、６ｂとを有している。バリアスプリング６は、コイル部６ｃをバリア羽根４の回転中心部４ａに係合させることで、バリア羽根４に取り付けられる。ここで、弾性伝達腕部６ａ、６ｂは、バリア羽根４に形成された溝部４ｂ１、４ｂ２に係合する。
【００３８】
また、バリアスプリング６は、図３に示すように弾性伝達腕部６ａ、６ｂが固定筒２の突部２ｇの両側に位置するように配置される。このとき、弾性伝達腕部６ａは第１回転筒２の第１の溝部２ｂ内に位置し、弾性伝達腕部６ｂは第２の溝部２ｄ内に位置している。ここで、弾性伝達腕部６ａ、６ｂはそれぞれ、コイル部６ｃの両端に位置しているため、溝部２ｂ、２ｄは弾性伝達腕部６ａ、６ｂの位置に合わせて互いに異なる位置に形成されている。すなわち、第１の溝部２ｂを含む面（光軸と直交する面）と、第２の溝部２ｄを含む面（光軸と直交する面）は、光軸方向において異なる位置にある。
【００３９】
上記構成において、第１回転筒２が光軸回りに回転すると、第１回転筒２の突部２ｇが弾性伝達腕部６ａ、６ｂの一方を押し込んでバリアスプリング６を回転させる。このとき、上記一方の弾性伝達腕部は、突部２ｇによる押し込みを受けて所定量、弾性変形する。
【００４０】
弾性伝達腕部６ａ、６ｂは、バリア羽根４を挟んだ状態で溝部４ｂ１、４ｂ２に係合しているため、弾性伝達腕部６ａ、６ｂのうち一方の弾性伝達腕部が第１回転筒２の突部２ｇによって押し込まれると、他方の弾性伝達腕部がバリア羽根４を押し込むことで、バリア部材４を回転させる。すなわち、バリア羽根４は、第１回転筒２からの回転力を受けたバリアスプリング６とともに回転することになる。
【００４１】
一方、バリアスプリング７は、バリアスプリング６と同じ形状に形成されており、バリア羽根５に取り付けられる。すなわち、バリアスプリング７は図２に示すように、線材を巻回させて形成されたコイル部７ｃと、この両端に略Ｕ字状に形成された２本の弾性伝達腕部７ａ、７ｂとを有している。バリアスプリング７は、コイル部７ｃをバリア羽根５の回転中心部５ａに係合させることで、バリア羽根５に取り付けられる。このとき、弾性伝達腕部７ａ、７ｂは、バリア羽根５に形成された溝部５ｂ１、５ｂ２に係合している。
【００４２】
また、バリアスプリング７は、弾性伝達腕部７ａ、７ｂが固定筒２の突部２ｈの両側に位置するように配置される。このとき、弾性伝達腕部７ａは第１回転筒２の第３の溝部２ｃ内に位置し、弾性伝達腕部７ｂは第４の溝部２ｅ内に位置している（図４等参照）。
【００４３】
上記構成において、第１回転筒２が光軸回りに回転すると、第１回転筒２の突部２ｈが弾性伝達腕部７ａ、７ｂの一方を押し込んでバリアスプリング７を回転させる。このとき、上記一方の弾性伝達腕部は、突部２ｈの押し込みを受けて所定量、弾性変形する。
【００４４】
弾性伝達腕部７ａ、７ｂは、バリア羽根５を挟んだ状態で溝部５ｂ１、５ｂ２に係合しているため、弾性伝達腕部７ａ、７ｂのうち一方の弾性伝達腕部が突部２ｈによって押し込まれると、他方の弾性伝達腕部がバリア羽根５を押し込むことで、バリア羽根５を回転させる。すなわち、バリア羽根５は、第１回転筒２からの回転力を受けたバリアスプリング７とともに回転することになる。
【００４５】
８、１１はそれぞれバリアカバーとバリアプレートで、バリア羽根４〜１０を挟んだ状態で第１直進筒１に固定される。バリアカバー８はバリア羽根４〜１０に対して被写体側に位置し、バリアプレート１１はバリア羽根４〜１０に対して像面側に位置している。なお、バリアカバー８、バリアプレート１１およびバリア羽根４〜１０によって、上述したバリアユニット２０が構成される。
【００４６】
バリアカバー８およびバリアプレート１１のそれぞれには、被写体光を通過させるための開口部８ａ、１１ａが形成されている。また、バリアプレート１１には、バリア羽根４、５の回転中心部４ａ、５ａと係合する穴部１１ｂ（残りの１つは不図示）が形成されている。
【００４７】
バリア羽根４〜１０は、上述した回転動作によって、開口部８ａ、１１ａ間の光路内に進入したり、該光路から退避したりする。上記光路内に進入した状態（後述する全閉状態）にあるバリア羽根４〜１０は、被写体光のレンズ鏡筒１０１内への入射を抑制する。また、上記光路から退避した状態（後述する全開状態）にあるバリア羽根４〜１０は、被写体光のレンズ鏡筒１０１内への入射を許容する。
【００４８】
次に、図４から図１０を用いてバリア羽根４〜１０の開閉動作について具体的に説明する。なお、図４から図１０では、バリアカバー８を取り除いた状態を示している。
【００４９】
（１）バリア羽根を全開状態にする場合
カメラ本体１００のメインスイッチ（不図示）をＯＮ状態にすると、カメラ本体１００内に設けられた不図示のモータが駆動する。ここで、メインスイッチがＯＦＦ状態にあるとき、バリアユニットは図４に示す状態にあり、バリア羽根４〜１０は第１レンズ群３の前面を閉じている（全閉状態）。
【００５０】
モータの駆動力は、上述したように動力伝達機構等を介して第１回転筒２に伝達され、第１回転筒２が図４の矢印Ａ方向（光軸回り一方向）に回転する。これにより、第１回転筒２の突部２ｇが、第１の溝部２ｂ側の側面２ｇ１においてバリアスプリング６の弾性伝達腕部６ａと当接する。また、第１回転筒２の突部２ｈが、第３の溝部２ｃ側の側面２ｈ１においてバリアスプリング７の弾性伝達腕７ａと当接する。
【００５１】
これにより、第１回転筒２およびバリアスプリング６、７が連動状態となり、第１回転筒２の回転力がバリアスプリング６、７に伝達されるようになる。すなわち、第１回転筒２の回転に応じて、バリアスプリング６が回転するとともに、バリア羽根４が開き方向に回転する。また、第１回転筒２の回転に応じてバリアスプリング７が回転するとともに、バリア羽根５が開き方向に回転する。
【００５２】
バリア羽根４、５が開き方向に所定量回転すると、バリア羽根４の側縁部がバリア羽根９に設けられた凸部９ｃに当接するとともに、バリア羽根５の側縁部がバリア羽根１０に設けられた凸部１０ｃに当接する（図５参照）。このとき、バリアユニットは半開状態となっている。
【００５３】
半開状態にあるバリアユニットを被写体側から見たとき、バリア羽根４は、図５に示すように、バリア羽根９の領域内に概ね収まるように位置し、バリア羽根５はバリア羽根１０の領域内に概ね収まるように位置している。
【００５４】
図５に示す状態から第１回転筒２が矢印Ａ方向に回転すると、バリア羽根４はバリア羽根９とともに開き方向に回転し、バリア羽根５はバリア羽根１０とともに開き方向に回転することになる。
【００５５】
本実施例では、バリア羽根を４枚で構成し、バリア羽根４およびバリア羽根９や、バリア羽根５およびバリア羽根１０を光軸方向で重ねた状態で開口部８ａ、１１ａ間の光路から退避させている。このため、バリア羽根を２枚で構成した場合に比べてバリア羽根の退避スペース（光軸直交方向のスペース）を小さくでき、レンズ鏡筒１０１を径方向において小型化することができる。
【００５６】
バリア羽根４および９が一体となって開き方向に回転するとき、第１回転筒２の回転に伴うバリアスプリング６の回転によって、弾性伝達腕部６ａの突部２ｇに対する当接状態が変化する。すなわち、バリアスプリング６の弾性伝達腕部６ａは、第１回転筒２の突部２ｇに押し込まれて、図６および図７に示すように第１回転筒２の径方向内側に入り込む。
【００５７】
このとき、弾性伝達腕部６ａは、図６および図７に示すように第１直進筒１に設けられた凹部（制限部）１ｂ１内に入り込む。すなわち、第１の溝部２ｂおよび凹部１ｂ１は、同一の光軸直交面内にあり、弾性伝達腕部６ａが第１回転筒２の径方向内側に変位して第１の溝部２ｂから外れるときに、凹部１ｂ１内に入り込むように構成されている。
【００５８】
一方、バリアスプリング７も上述したバリアスプリング６と同様の動作を行う。すなわち、図５に示す状態にあるバリア羽根５および１０が一体となって開き方向に回転するとき、バリアスプリング７の弾性伝達腕部７ａは、第１回転筒２の突部２ｈに押し込まれて第１回転筒２の径方向内側に入り込む。このとき、弾性伝達腕部７ａは、第３の溝部２ｃから外れて第１直進筒１に設けられた凹部（制限部）１ｃ１内に進入する。
【００５９】
弾性伝達腕部６ａ、７ａが溝部２ｂ、２ｃから外れると、第１回転筒２およびバリアスプリング６、７が非連動状態となり、第１回転筒２の回転力がバリアスプリング６、７に伝達されなくなる。そして、第１回転筒２だけが回転することで、バリアユニットは、図８に示すように全開状態となる。
【００６０】
図８に示す状態にあるとき、弾性伝達腕部６ａは、図９に示すように凹部１ｂ１内に入り込んだ状態で第１回転筒２の内周面２ｆに当接している。弾性伝達腕部６ａが第１回転筒２の内周面２ｆに当接することによって、バリアスプリング６は図８や図９に示す状態に保持され、バリア羽根４、９が全開状態で保持される。なお、バリアスプリング７についても同様であり、バリア羽根５、１０が全開状態で保持される。
【００６１】
ここで、バリアユニットが図８に示す状態になったときに、モータの駆動を停止させることによってレンズ鏡筒１０１は撮影状態となる。
【００６２】
（２）バリア羽根を全閉状態にする場合
カメラ本体のメインスイッチをＯＮ状態からＯＦＦ状態に切り換えると、不図示のモータが駆動する。このモータの駆動により、第１回転筒２は図８に示す状態から矢印Ｂ方向（光軸回り他方向）に回転する。
【００６３】
これにより、図１０に示すように第１回転筒２の突部２ｇが、第２の溝部２ｄ側の側面２ｇ２においてバリアスプリング６の弾性伝達腕部６ｂに当接する。また、第１回転筒２の突部２ｈが、第４の溝部２ｅ側の側面２ｈ２においてバリアスプリング７の弾性伝達腕部７ｂに当接する。
【００６４】
図８に示す状態から突部２ｇ、２ｈが弾性伝達腕部６ｂ、７ｂに当接するまでの間は、弾性伝達腕部６ａ、７ａが第１回転筒２の内周面２ｆを摺動することになる。ここで、弾性伝達腕部６ａ、７ａは、上述したように略Ｕ字状に形成されており、曲面を持った部分で第１回転筒２の内周面２ｆに当接しているため、第１回転筒２はスムーズに回転することができる。なお、バリアスプリング６、７の弾性伝達腕部６ａ、７ａの形状は上述した形状に限られない。すなわち、弾性伝達腕部に曲面（曲げ部）を持たせ、該曲面で第１回転筒２の内周面に当接させれば、第１回転筒２をスムーズに回転させることができる。また、第１回転筒２の内周面のうち弾性伝達腕部と当接する部分に、摩擦を低減する潤滑剤等を塗布してもよい。
【００６５】
突部２ｇ、２ｈが弾性伝達腕部６ｂ、７ｂに当接することで、第１回転筒２およびバリアスプリング６、７が連動状態となり、第１回転筒２の回転力がバリアスプリング６、７に伝達される。このとき、弾性伝達腕部６ａ、７ａは、第１回転筒２の内周面２ｆから外れて第１の溝部２ｂおよび第３の溝部２ｃ内に入り込む。
【００６６】
図１０に示す状態から第１回転筒２が矢印Ｂ方向に回転すると、バリアスプリング６、７やバリア羽根４〜１０は、上述した開き動作と概ね逆の動作を辿って図４に示す全閉状態となる。
【００６７】
すなわち、図１０に示す状態から第１回転筒２が矢印Ｂ方向に回転すると、バリア羽根４およびバリアスプリング６が一体となって閉じ方向に回転するとともに、バリア羽根５およびバリアスプリング７が一体となって閉じ方向に回転する。これにより、バリア羽根４、５の閉じ動作が開始され、バリア羽根４、５が閉じ方向に所定量回転すると、バリア羽根４、５に設けられた凸部４ｃ、５ｃがバリア羽根９、１０に形成された切り欠き部９ｂ、１０ｂに当接する。
【００６８】
これ以降は、バリア羽根４、９が一体となって閉じ方向に回転するとともに、バリア羽根５、１０が一体となって閉じ方向に回転する。そして、バリア羽根４〜１０は、図４に示す全閉状態となる。このとき、レンズ鏡筒１０１は撮影状態から光軸方向に繰り込んで沈胴状態となる。
【００６９】
上述したバリア羽根４〜１０の閉じ動作において、バリアスプリング６の弾性伝達腕部６ａは、第１直進筒１に設けられた凹部１ｂ１から退避して、第１回転筒２の第１の溝部２ｂ内に進入する。また、バリアスプリング７の弾性伝達腕部７ａは、第１直進筒１の凹部１ｃ１から退避して、第１回転筒２の第３の溝部２ｃ内に進入する。
【００７０】
上述したバリア羽根４〜１０の開閉動作において、バリアスプリング６、７は第１回転筒２の回転に応じて回転するだけであり、ほとんどチャージされることがない。すなわち、上述した従来技術のようにバリア羽根を開閉させる際にスプリングをチャージさせる場合に比べて、バリア羽根４〜１０を開閉動作させる際の第１回転筒２の駆動負荷を軽減することができる。
【００７１】
以下、バリア羽根４〜１０が第１回転筒２の回転に応じて動作できない場合におけるバリアユニットの動作について説明する。なお、バリア羽根４、９に関する動作と、バリア羽根５、１０に関する動作は同じであるため、以下の説明では、バリア羽根４、９に関する動作についてのみ述べる。
【００７２】
（３）全閉状態にあるバリア羽根が強制的に開き操作された場合
バリアユニットが図４に示す全閉状態にある場合において、バリア羽根４、９を開き方向に強制的に回転させた場合について説明する。
【００７３】
全閉状態にあるバリア羽根４を強制的に開き方向に回転させると、バリアスプリング６がバリア羽根４と一体となって回転する。ここで、第１回転筒２は回転せずに図４に示す位置に停止したままであるため、第１回転筒２の突部２ｇに当接する弾性伝達腕部６ｂが固定腕となり、バリア羽根４の溝部４ｂ２と当接するバリアスプリング６の弾性伝達腕部６ａが可動腕となる。
【００７４】
すなわち、図１１に示すように、バリア羽根４の開き方向への回転によって、弾性伝達腕部６ｂは突部２ｇの側面２ｇ２に当接して、当接したままの状態に保持される。また、弾性伝達腕部６ａはバリア羽根４（溝部４ｂ２）に押し込まれて第１回転筒２の径方向内側に変位する。これにより、バリアスプリング６が弾性変形してチャージされた状態となる。
【００７５】
ここで、バリア羽根４の回転量によっては、図１１に示すように弾性伝達腕部６ａが第１直進筒１の凹部１ｂ１内に進入することになる。
【００７６】
バリアスプリング６がチャージされた状態で、バリア羽根４の強制的な開き操作を止めると、バリア羽根４はバリアスプリング６のチャージ力（復元力）によって閉じ方向に回転して、全閉状態に戻る。なお、バリア羽根４だけでなくバリア羽根９も開き方向に回転しているときには、バリア羽根４の凸部４ｃおよびバリア羽根９の切り欠き部９ｂの当接によって、バリア羽根４とともにバリア羽根９も閉じ方向に回転することになる。
【００７７】
（４）バリア羽根の閉じ動作が妨害された場合
図８に示す全開状態から第１回転筒２を矢印Ｂ方向に回転させてバリア羽根４、９を閉じ動作させる段階において、バリア羽根４、９の閉じ方向への回転が阻止された場合について説明する。
【００７８】
第１回転筒２が矢印Ｂ方向に回転すると、図１０に示すように、第１回転筒２の突部２ｇの側面２ｇ２がバリアスプリング６の弾性伝達腕部６ｂに当接する。ここで、バリア羽根４の閉じ方向への回転が阻止されていると、バリア羽根４の溝部４ｂ２と当接するバリアスプリング６の弾性伝達腕６ａが固定腕となり、突部２ｇと当接する弾性伝達腕部６ｂが可動腕となる。
【００７９】
すなわち、図１０に示す状態において、バリア羽根４の閉じ方向への回転が阻止されているため、弾性伝達腕部６ａはバリア羽根４（溝部４ｂ２）に当接したままとなっている。一方、第１回転筒２は図４に示す位置まで回転することになるため、弾性伝達腕部６ｂは第１回転筒２の突部２ｇに押し込まれて図１２に示すように変位する。これにより、バリアスプリング６が弾性変形してチャージされた状態となる。
【００８０】
バリアスプリング６がチャージされた状態で、バリア羽根４の回転阻止が解除されると、バリア羽根４はバリアスプリング６のチャージ力（復元力）を受けて閉じ方向に回転することになる。また、バリア羽根４の凸部４ｃおよびバリア羽根９の切り欠き部９ｂの当接によって、バリア羽根９も閉じ方向に回転することになる。
【００８１】
このとき、弾性伝達腕部６ａは、第１の溝部２ｂ内に進入して図４に示す状態となる。また、バリア羽根４、９が図４に示す全閉状態となる。
【００８２】
（５）バリア羽根の開き動作が妨害された場合
図４に示す全閉状態から第１回転筒２を矢印Ａ方向に回転させてバリア羽根４〜１０を開き動作させる段階において、バリア羽根４、５の開き方向への回転が阻止された場合について説明する。
【００８３】
第１回転筒２が矢印Ａ方向に回転すると、突部２ｇの側面２ｇ１がバリアスプリング６の弾性伝達腕部６ａに当接する。この状態でバリア羽根４の開き方向への回転が阻止されると、バリア羽根４の溝部４ｂ１と当接する弾性伝達腕部６ｂが固定腕となり、突部２ｇと当接する弾性伝達腕部６ａが可動腕となる。
【００８４】
すなわち、バリア羽根４の開き方向への回転が阻止されているため、弾性伝達腕部６ｂは溝部４ｂ１に当接したままとなっている。一方、第１回転筒２は矢印Ａ方向に回転して図８に示す全開位置まで移動することになるため、弾性伝達腕部６ａは第１回転筒２の突部２ｇに押し込まれて、図１３に示すように第１回転筒２の径方向内側に変位する。そして、弾性伝達腕部６ａは、第１回転筒２の内周面２ｆに当接した状態となる。
【００８５】
これにより、バリアスプリング６が変形してチャージされた状態となる。
【００８６】
バリアスプリング６がチャージされた状態で、バリア羽根４の回転阻止が解除されると、バリア羽根４はバリアスプリング６のチャージ力（復元力）を受けて開き方向に回転することになる。また、バリア羽根４およびバリア羽根９の凸部９ｃの当接によって、バリア羽根９も開き方向に回転することになる。
【００８７】
このとき、弾性伝達腕部６ｂが突部２ｇに当接し、バリアスプリング６は図８に示す状態となる。また、バリア羽根４、９は図８に示す全開状態となる。
【００８８】
上述したバリアスプリング６がチャージされた状態から元に戻るときには、弾性伝達腕部６ａ、６ｂが突部２ｇに衝突することによってバリア羽根４に振動を与えることになる。これにより、バリア羽根４に、開閉動作を妨げる要因となる埃等が付着していても、上記振動によって埃等をふるい落とすことが可能となる。
【００８９】
上記説明したように、本実施例によれば、第１回転筒２でバリアスプリング６、７を直接駆動してバリア羽根４、５を開閉動作させているため、上述した従来技術のようにバリア羽根を駆動するために必要となる専用の部品を削減できる。これにより、部品点数の増加によるコストアップを抑制することができる。また、専用部品の配置スペースを小さくできるため、バリアユニットおよびレンズ鏡筒の小型化を図ることができる。
【００９０】
一方、バリア羽根４〜１０を開閉動作させる際、弾性伝達腕部６ａ、７ａは、上述したように第１回転筒２の突部２ｇ、２ｈによって押し込まれて変位するが、変位量によってはバリア羽根４、５の溝部４ｂ２、５ｂ２から外れることもある。溝部４ｂ２、５ｂ２から外れた弾性伝達腕部６ａ、７ａは、光軸方向に変位可能な状態となり、例えば、レンズ鏡筒１０１に加えられた外力や、バリアスプリング６、７の持つ回転軸方向への変位によって弾性伝達腕部６ａ、７ａが光軸方向に変位するおそれがある。
【００９１】
弾性伝達腕部６ａ、７ａが光軸方向に大きく変位（下記の所定量よりも大きく変位）した場合には、バリア羽根４〜１０の駆動をスムーズに行わせることが困難となってしまう。
【００９２】
ここで、弾性伝達腕部６ａ、７ａが突部２ｇ、２ｈによって押されて変位しても、溝部４ｂ２、５ｂ２から外れない程度に溝部４ｂ２、５ｂ２の大きさを設定することも考えられる。しかし、この場合にはバリア羽根４、５（特に、溝部４ｂ２、５ｂ２の部分）が大型化し、レンズ鏡筒１０１が径方向で大型化してしまう。
【００９３】
そこで、本実施例では、第１回転筒２の突部２ｇ、２ｈによって押された弾性伝達腕部６ａ、７ａを、第１直進筒１に形成された凹部１ｂ１、１ｃ１内に進入させるようにすることで、弾性伝達腕部６ａ、７ａの光軸方向における変位を所定量に制限することができる。すなわち、凹部１ｂ１、１ｃ１が有する２つの光軸直交面によって弾性伝達腕部６ａ、７ａが光軸方向に上記所定量よりも大きく変位するのを阻止している。このような構成では、上述したように溝部４ｂ２、５ｂ２を大きくさせる必要はなく、バリア羽根４、５やレンズ鏡筒１０１の大型化を抑制することができる。
【００９４】
また、凹部１ｂ１、１ｃ１を有する突部１ｂ、１ｃを形成する領域として、レンズ鏡筒１０１に既存の部材、すなわち第１レンズ群３が固定された第１直進筒１の端面を用いているため、レンズ鏡筒内の構成を簡単な構成とすることができる。
【００９５】
なお、本実施例では、第１直進筒１に凹部１ｂ１、１ｃ１を形成したが、バリアカバー８やバリアプレート１１に、弾性伝達腕部６ａ、７ａの光軸方向における変位を制限する部分（凹部１ｂ１、１ｃ１に相当する部分）を形成することも可能である。
【００９６】
また、本実施例において、第１回転筒２（突部２ｇ、２ｈ）およびバリアスプリング６、７が図４に示す状態（位置関係）にあるときに、バリア羽根４〜１０を閉じ状態としているが、第１回転筒２およびバリアスプリング６、７が図４に示す位置関係にあるときに、バリア羽根が開き状態となるように構成してもよい。すなわち、バリア羽根の形状を適宜変えることで、上記構成とすることができる。この構成においても、第１直進筒１に、第１回転筒によって押し込まれた弾性伝達腕部が進入する凹部（凹部１ｂ１、１ｃ１に相当する）を形成することで、該弾性伝達腕部の光軸方向における変位を所定量に制限することができる。
【図面の簡単な説明】
【００９７】
【図１】本発明の実施例１におけるバリアユニットの構成を示す分解斜視図である。
【図２】バリアスプリングが組み込まれたバリア羽根の外観斜視図である。
【図３】実施例１における回転筒とバリアスプリングとの関係を示す斜視図である。
【図４】実施例１において全閉状態にあるバリアユニットの正面図である。
【図５】実施例１において半開状態にあるバリアユニットの正面図である。
【図６】実施例１において全開直前の状態にあるバリアユニットの正面図である。
【図７】全開直前の状態にあるバリアユニットの部分拡大図である。
【図８】実施例１において全開状態にあるバリアユニットの正面図である。
【図９】全開状態にあるバリアユニットの部分拡大図である。
【図１０】バリア羽根の閉じ動作開始状態におけるバリアユニットの正面図である。
【図１１】強制的な開き状態にあるバリアユニットの正面図である。
【図１２】バリア羽根の閉じ動作が阻止された状態のバリアユニットの正面図である。
【図１３】バリア羽根の開き動作が阻止された状態のバリアユニットの正面図である。
【図１４】実施例１におけるレンズ鏡筒の断面図である。
【図１５】実施例１におけるカメラの外観斜視図である。
【符号の説明】
【００９８】
１：第１直進筒
１ｂ、１ｃ：凸部
１ｂ１、１ｃ１：凹部
２：第１回転筒
２ｂ：第１の溝部  ２ｄ：第２の溝部
２ｃ：第３の溝部  ２ｅ：第４の溝部
２ｇ、２ｈ：突部
２ｆ：内周面
３：第１レンズ群
４、５、９、１０：バリア羽根
４ｂ１、４ｂ２：溝部
５ｂ１、５ｂ２：溝部
６、７：バリアスプリング
６ａ、６ｂ、７ａ、７ｂ：弾性伝達腕部
８：バリアカバー
【図１】
2005309030.tif 000003
【図２】
2005309030.tif 000004
【図３】
2005309030.tif 000005
【図４】
2005309030.tif 000006
【図５】
2005309030.tif 000007
【図６】
2005309030.tif 000008
【図７】
2005309030.tif 000009
【図８】
2005309030.tif 000010
【図９】
2005309030.tif 000011
【図１０】
2005309030.tif 000012
【図１１】
2005309030.tif 000013
【図１２】
2005309030.tif 000014
【図１３】
2005309030.tif 000015
【図１４】
2005309030.tif 000016
【図１５】
2005309030.tif 000017